【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ロータ軸を中心とし、該ロータ軸に平行なロータ軸方向に延びるロータ本体と、周方向に並んで該ロータ本体に取り付けられる複数の動翼とを備え、該ロータ本体に該ロータ軸を中心として環状に形成されている翼溝に、複数の該動翼の翼根が植え込まれているタンジェンシャルエントリー式のロータにおいて、
前記ロータ本体には、複数の前記動翼のうちで、最後に前記翼溝に植え込まれる最終植込翼の翼根を径方向外側から前記翼溝内に挿入可能な翼根挿入開口部が形成され、
前記最終植込翼の前記翼根が前記翼根挿入開口部から抜け出るのを防ぐ翼止部品を備え、
前記翼根挿入開口部の開口縁から径方向内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝は、共同して、径方向に延びる軸を中心として回転対称な形状で且つ内周面に径方向に並ぶ複数の雌歯が形成されている部品穴を成し、
前記翼止部品は、前記部品穴に装着可能に部品軸を中心として回転対称な形状を成し、外周面に該部品軸に平行な部品軸方向に並んで前記雌歯に適合する複数の雄歯が形成され、分割面で２つの分割片に分割され、該分割面と該外周面とが交わる分割縁線が、該外周面中を該部品軸方向の両端面のうちの一方の端面から他方の端面まで延びている、
ことを特徴とするロータ。
【請求項２】
請求項１に記載のロータにおいて、
前記翼止部品は、前記部品軸方向の全体に亘って、複数の前記雄歯が形成されている、
ことを特徴とするロータ。
【請求項３】
請求項１又は２に記載のロータにおいて、
前記翼止部品における前記部品軸方向の前記一方の端面には、前記部品軸に沿った方向に凹み、前記分割面を跨ぐ工具穴が形成され、
前記工具穴は、該工具穴の形状に対応した工具が差し込まれて、予め定められている方向に回転させられた際、２つの前記分割片のそれぞれに相手側から離れる向きの力が働かない形状である、
ことを特徴とするロータ。
【請求項４】
請求項３に記載のロータにおいて、
前記翼止部品の前記工具穴は、前記部品軸から放射方向に延び且つ前記分割面を跨ぐ１以上の長穴で形成されている、
ことを特徴とするロータ。
【請求項５】
請求項１から４のいずれか一項に記載のロータにおいて、
前記翼止部品の前記分割面は、前記部品軸に平行で互い異なる方向を向く複数の面で構成されている、
ことを特徴とするロータ。
【請求項６】
請求項１から５のいずれか一項に記載のロータと、
前記ロータを前記ロータ軸を中心として回転可能に覆うケーシングと、
を備えていることを特徴とする軸流流体機械。
【請求項７】
ロータ軸を中心とし、該ロータ軸に平行なロータ軸方向に延びるロータ本体と、周方向に並んで該ロータ本体に取り付けられる複数の動翼とを備え、
前記ロータ本体には、前記ロータ軸を中心として環状を成し、複数の前記動翼の翼根がタンジェンシャルエントリー式で植え込まれる翼溝が形成されていると共に、複数の前記動翼のうちで、最後に前記翼溝に植え込まれる最終植込翼の翼根を径方向外側から前記翼溝内に挿入可能な翼根挿入開口部が形成され、
前記翼根挿入開口部の開口縁から径方向内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝が、共同して、径方向に延びる軸を中心として回転対称な形状で且つ内周面に径方向に並ぶ複数の雌歯が形成されている部品穴を成しているロータで、
前記最終植込翼の前記翼根が前記翼根挿入開口部から抜け出るのを防ぐ翼止部品において、
前記部品穴に装着可能に部品軸を中心として回転対称な形状を成し、外周面に該部品軸に平行な部品軸方向に並んで前記雌歯に適合する複数の雄歯が形成され、分割面で２つの分割片に分割され、該分割面と該外周面とが交わる分割縁線が、該外周面中を該部品軸方向の両端面のうちの一方の端面から他方の端面まで延びている、
ことを特徴とする翼止部品。
【請求項８】
請求項７に記載の翼止部品において、
前記部品軸方向の全体に亘って、複数の前記雄歯が形成されている、
ことを特徴とする翼止部品。
【請求項９】
請求項７又は８に記載の翼止部品において、
前記部品軸方向の前記一方の端面には、前記部品軸に沿った方向に凹み、前記分割面を跨ぐ工具穴が形成され、
前記工具穴は、該工具穴の形状に対応した工具が差し込まれて、予め定められている方向に回転させられた際、２つの前記分割片のそれぞれに相手側から離れる向きの力が働かない形状である、
ことを特徴とする翼止部品。
【請求項１０】
ロータ軸を中心とし、該ロータ軸に平行なロータ軸方向に延びるロータ本体と、周方向に並んで該ロータ本体に取り付けられる複数の動翼とを備え、
前記ロータ本体には、前記ロータ軸を中心として環状を成し、複数の前記動翼の翼根がタンジェンシャルエントリー式で植え込まれる翼溝が形成されていると共に、複数の前記動翼のうちで、最後に前記翼溝に植え込まれる最終植込翼の翼根を径方向外側から前記翼溝内に挿入可能な翼根挿入開口部が形成され、
前記翼根挿入開口部の開口縁から径方内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝が、共同して、径方向に延びた円筒状で且つ内周面に径方向に並ぶ複数の雌歯が形成されている部品穴を成しているロータの製造方法において、
前記ロータ本体と、複数の前記動翼と、請求項７から９のいずれか一項に記載の翼止部品とを準備する準備工程と、
複数の前記動翼のうちで、前記最終植込翼を除く複数の通常翼の翼根を、順次、前記翼根挿入開口部から前記翼溝内に入れてから、該翼溝内で周方向の所定位置に移動させる通常翼組込工程と、
前記ロータ本体の前記部品溝に、前記翼止部品を構成する２つの分割片のうちの一方の分割片を装着すると共に、前記最終植込翼の前記部品溝に他方の分割片を装着する分割片装着工程と、
前記通常翼組込工程及び前記分割片装着工程後に、前記最終植込翼の翼根を前記他方の分割片と共に前記翼根挿入開口部から前記翼溝内に入れる最終翼組込工程と、
前記最終翼組込工程後に、前記翼止部品の前記分割縁線が、前記翼根壁面の延長線上に位置せぬよう、前記部品穴内の該翼止部品を回転させる翼抜け止め工程と、
を実行することを特徴とするロータの製造方法。
【請求項１１】
ロータ軸を中心とし、該ロータ軸に平行なロータ軸方向に延びるロータ本体と、周方向に並んで該ロータ本体に取り付けられる複数の動翼とを備え、
前記ロータ本体には、前記ロータ軸を中心として環状を成し、複数の前記動翼の翼根がタンジェンシャルエントリー式で植え込まれる翼溝が形成されていると共に、複数の前記動翼のうちで、最後に前記翼溝に植え込まれる最終植込翼の翼根を径方向外側から前記翼溝内に挿入可能な翼根挿入開口部が形成され、
前記翼根挿入開口部の開口縁から径方内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝が、共同して、径方向に延びた円筒状で且つ内周面に径方向に並ぶ複数の雌歯が形成されている部品穴を成しているロータの組立方法において、
前記ロータ本体と、複数の前記動翼と、請求項７から９のいずれか一項に記載の翼止部品とを準備する準備工程と、
複数の前記動翼のうちで、前記最終植込翼を除く複数の通常翼の翼根を、順次、前記翼根挿入開口部から前記翼溝内に入れてから、該翼溝内で周方向の所定位置に移動させる通常翼組込工程と、
前記ロータ本体の前記部品溝に、前記翼止部品を構成する２つの分割片のうちの一方の分割片を装着すると共に、前記最終植込翼の前記部品溝に他方の分割片を装着する分割片装着工程と、
前記通常翼組込工程及び前記分割片装着工程後に、前記最終植込翼の翼根を前記他方の分割片と共に前記翼根挿入開口部から前記翼溝内に入れる最終翼組込工程と、
前記最終翼組込工程後に、前記翼止部品の前記分割縁線が、前記翼根壁面の延長線上に位置せぬよう、前記部品穴内の該翼止部品を回転させる翼抜け止め工程と、
を実行することを特徴とするロータの組立方法。
【手続補正２】
【補正対象書類名】明細書
【補正対象項目名】発明の名称
【補正方法】変更
【補正の内容】
【発明の名称】ロータ、これを備えている軸流流体機械、ロータの翼止部品、ロータの製造方法、及びロータの組立方法
【手続補正３】
【補正対象書類名】明細書
【補正対象項目名】０００１
【補正方法】変更
【補正の内容】
【０００１】
本発明は、ロータ本体と、周方向に並んでロータ本体に取り付けられる複数の動翼とを備えているロータ、このロータを備えている軸流流体機械、ロータの翼止部品、ロータの製造方法、及びロータの組立方法に関する。
【手続補正４】
【補正対象書類名】明細書
【補正対象項目名】０００９
【補正方法】変更
【補正の内容】
【０００９】
本発明は、以上のような従来技術の問題点に着目し、最終植込翼の翼根が翼根挿入開口部から抜け出るのを確実に防ぐことができる、ロータ、これを備えている軸流流体機械、ロータの翼止部品、ロータの製造方法、及びロータの組立方法を提供することを目的とする。
【手続補正５】
【補正対象書類名】明細書
【補正対象項目名】００２８
【補正方法】変更
【補正の内容】
【００２８】
前記問題点を解決するための発明に係るロータの製造方法は、
ロータ軸を中心とし、該ロータ軸に平行なロータ軸方向に延びるロータ本体と、周方向に並んで該ロータ本体に取り付けられる複数の動翼とを備え、前記ロータ本体には、前記ロータ軸を中心として環状を成し、複数の前記動翼の翼根がタンジェンシャルエントリー式で植え込まれる翼溝が形成されていると共に、複数の前記動翼のうちで、最後に前記翼溝に植え込まれる最終植込翼の翼根を径方向外側から前記翼溝内に挿入可能な翼根挿入開口部が形成され、前記翼根挿入開口部の開口縁から径方内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝が、共同して、径方向に延びた円筒状で且つ内周面に径方向に並ぶ複数の雌歯が形成されている部品穴を成しているロータの製造方法において、前記ロータ本体と、複数の前記動翼と、請求項７から９のいずれか一項に記載の翼止部品とを準備する準備工程と、複数の前記動翼のうちで、前記最終植込翼を除く複数の通常翼の翼根を、順次、前記翼根挿入開口部から前記翼溝内に入れてから、該翼溝内で周方向の所定位置に移動させる通常翼組込工程と、前記ロータ本体の前記部品溝に、前記翼止部品を構成する２つの分割片のうちの一方の分割片を装着すると共に、前記最終植込翼の前記部品溝に他方の分割片を装着する分割片装着工程と、前記通常翼組込工程及び前記分割片装着工程後に、前記最終植込翼の翼根を前記他方の分割片と共に前記翼根挿入開口部から前記翼溝内に入れる最終翼組込工程と、前記最終翼組込工程後に、前記翼止部品の前記分割縁線が、前記翼根壁面の延長線上に位置せぬよう、前記部品穴内の該翼止部品を回転させる翼抜け止め工程と、を実行することを特徴とする。
また、前記問題点を解決するための発明に係るロータの組立方法は、
ロータ軸を中心とし、該ロータ軸に平行なロータ軸方向に延びるロータ本体と、周方向に並んで該ロータ本体に取り付けられる複数の動翼とを備え、前記ロータ本体には、前記ロータ軸を中心として環状を成し、複数の前記動翼の翼根がタンジェンシャルエントリー式で植え込まれる翼溝が形成されていると共に、複数の前記動翼のうちで、最後に前記翼溝に植え込まれる最終植込翼の翼根を径方向外側から前記翼溝内に挿入可能な翼根挿入開口部が形成され、前記翼根挿入開口部の開口縁から径方内側に向かって広がる開口壁面と、前記最終植込翼の前記翼根で該開口壁面に対向する翼根壁面とには、それぞれ、相手側から遠ざかる向きに凹み径方向に延びる部品溝が形成され、各部品溝が、共同して、径方向に延びた円筒状で且つ内周面に径方向に並ぶ複数の雌歯が形成されている部品穴を成しているロータの組立方法において、前記ロータ本体と、複数の前記動翼と、請求項７から９のいずれか一項に記載の翼止部品とを準備する準備工程と、複数の前記動翼のうちで、前記最終植込翼を除く複数の通常翼の翼根を、順次、前記翼根挿入開口部から前記翼溝内に入れてから、該翼溝内で周方向の所定位置に移動させる通常翼組込工程と、前記ロータ本体の前記部品溝に、前記翼止部品を構成する２つの分割片のうちの一方の分割片を装着すると共に、前記最終植込翼の前記部品溝に他方の分割片を装着する分割片装着工程と、前記通常翼組込工程及び前記分割片装着工程後に、前記最終植込翼の翼根を前記他方の分割片と共に前記翼根挿入開口部から前記翼溝内に入れる最終翼組込工程と、前記最終翼組込工程後に、前記翼止部品の前記分割縁線が、前記翼根壁面の延長線上に位置せぬよう、前記部品穴内の該翼止部品を回転させる翼抜け止め工程と、を実行することを特徴とする。
【手続補正６】
【補正対象書類名】明細書
【補正対象項目名】００２９
【補正方法】変更
【補正の内容】
【００２９】
当該ロータの製造方法又は組立方法では、翼抜け止め工程で、部品穴内に収まっている翼止部品の外周面と分割面とが交わる分割縁線が翼根壁面の延長線上に位置せぬよう、翼止部品を部品穴内で回転させる。この結果、翼止部品の２つの分割片の各雄歯は、いずれも、翼根壁面に形成されている部品溝の雌歯及び開口壁面に形成されている部品溝の雌歯と噛み合う。このため、当該ロータでは、翼根挿入開口部から翼溝に入った最終植込翼の翼根が翼根挿入開口部から抜け出るのを防ぐことができる。